(57)【要約】【課題】ＩＥＥＥ１３９４規格に準拠して接続された二つの装置間の情報伝送が休止状態となったとしても、その影響が当該二つの装置以外の他の装置にまで及ぶことを防止することが可能な休止状態制御装置等を提供する。【解決手段】バスＣＸによってシリアル接続されたチューナ１における休止状態であって、当該チューナ１と他の装置との間におけるバスＣＸを介した情報の授受を休止する休止状態を制御する場合に、休止状態を制御する対象のチューナ１が情報の授受を行っている他の装置の数を判定し、判定された数が一であるときのみ、そのチューナ１における情報の授受を休止状態とするようにチューナ１を制御する制御部１３を備える。【選択図】      図１
2004350048.tif 000002
【特許請求の範囲】
【請求項１】
ネットワークによって接続された複数の情報処理装置のいずれかにおける休止状態であって、当該いずれかの情報処理装置と他の前記情報処理装置との間における前記ネットワークを介した情報の授受を休止する休止状態を制御する休止状態制御装置において、
前記休止状態を制御する対象の前記情報処理装置である制御対象情報処理装置が前記授受を行っている他の前記情報処理装置の数を判定する判定手段と、
前記判定された数が一であるときのみ、前記制御対象情報処理装置における前記授受を前記休止状態とするように当該制御対象情報処理装置を制御する制御手段と、
を備えることを特徴とする休止状態制御装置。
【請求項２】
請求項１に記載の休止状態制御装置において、
前記制御対象情報処理装置は、当該制御対象情報処理装置との間の前記授受を前記他の情報処理装置が前記休止状態とすることを示す休止信号を、当該他の情報処理装置から前記制御対象情報処理装置に対して前記ネットワークを介して送信するよう指示する指示信号を当該他の情報処理装置へ送信し、且つ、当該他の情報送受信装置からの当該休止信号を受信する制御対象情報処理装置送受信手段と、
前記休止信号を受信したとき、当該他の情報処理装置との間の前記授受を前記休止状態とする制御対象情報処理装置休止制御手段と、
を備えると共に、
前記他の情報送受信装置は、
前記制御対象情報処理装置からの前記指示信号を受信し、且つ、前記制御対象情報処理装置に対して前記休止信号を送信する送受信手段と、
前記指示信号を受信したとき、当該制御対象情報処理装置との間の前記授受を前記休止状態とする休止制御手段と、
を備え、
前記制御手段は、前記判定された数が一であるときのみ、前記指示信号を前記他の情報処理装置に対して送信するように前記制御対象情報処理装置送受信手段を制御することを特徴とする休止状態制御装置。
【請求項３】
請求項１又は２に記載の休止状態制御装置において、
前記判定手段は、前記制御対象情報処理装置自体の機能を休止状態にする場合に前記数を判定する処理を開始することを特徴とする休止状態制御装置。
【請求項４】
請求項３に記載の休止状態装置において、
前記制御手段は、前記判定された数が二以上であるとき、前記制御対象情報処理装置における前記授受を前記休止状態とすることを禁止するように当該制御対象情報処理装置を制御することを特徴とする休止状態制御装置。
【請求項５】
請求項１から４のいずれか一項に記載の休止状態装置において、
前記情報の授受は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４ａ−２０００規格に準拠して行われることを特徴とする休止状態装置。
【請求項６】
請求項２から５のいずれか一項に記載の制御対象情報処理装置としての情報処理装置であって、
前記制御対象情報処理装置送受信手段を備えることを特徴とする情報処理装置。
【請求項７】
請求項２から６のいずれか一項に記載の制御対象情報処理装置に対して前記ネットワークを介して接続されている前記他の情報処理装置としての情報処理装置であって、
前記送受信手段を備えることを特徴とする情報処理装置。
【請求項８】
ネットワークによって接続された複数の情報処理装置のいずれかにおける休止状態であって、当該いずれかの情報処理装置と他の前記情報処理装置との間における前記ネットワークを介した情報の授受を休止する休止状態を制御する休止状態制御方法であって、
前記休止状態を制御する対象の前記情報処理装置である制御対象情報処理装置が前記授受を行っている他の前記情報処理装置の数を判定する判定工程と、
前記判定された数が一であるときのみ、前記制御対象情報処理装置における前記授受を前記休止状態とするように当該制御対象情報処理装置を制御する制御工程と、
を含むことを特徴とする休止状態制御方法。
【請求項９】
ネットワークによって接続された複数の情報処理装置のいずれかにおける休止状態であって、当該いずれかの情報処理装置と他の前記情報処理装置との間における前記ネットワークを介した情報の授受を休止する休止状態を制御する休止状態制御装置に含まれるコンピュータを、
前記休止状態を制御する対象の前記情報処理装置である制御対象情報処理装置が前記授受を行っている他の前記情報処理装置の数を判定する判定手段、及び、
前記判定された数が一であるときのみ、前記制御対象情報処理装置における前記授受を前記休止状態とするように当該制御対象情報処理装置を制御する制御手段、
として機能させることを特徴とする休止状態制御プログラム。
【請求項１０】
請求項９に記載の休止状態制御プログラムが前記コンピュータで読取可能に記録されていることを特徴とする情報記録媒体。
【発明の詳細な説明】
【０００１】
【発明の属する技術分野】
本願は、休止状態制御装置、休止状態制御方法並びに休止状態制御プログラム及び情報記録媒体の技術分野に属し、より詳細には、例えばシリアルバスによって複数の情報処理装置が接続されて形成されるネットワークに含まれている当該複数の情報処理装置のいずれかにおける休止状態であって、当該いずれかの情報処理装置と他の前記情報処理装置との間における当該バスを介した情報の授受を休止する休止状態（いわゆるサスペンド状態）を制御する休止状態制御装置及び休止状態制御方法並びに当該休止状態制御用の休止状態制御プログラム及び当該休止状態制御プログラムが記録された情報記録媒体の技術分野に属する。
【０００２】
【従来の技術】
近年、複数の情報処理装置（例えば、パーソナルコンピュータとディジタルビデオカメラ又はＭＤ（Ｍｉｎｉ  Ｄｉｓｋ）プレーヤ等）間でシリアルバスを介してリアルタイム且つ高速に情報を伝送するための規格として、いわゆるＩＥＥＥ１３９４規格（正式名称は、「ＩＥＥＥ  Ｓｔｄ．  １３９４ａ−２０００  ＩＥＥＥ  Ｓｔａｎｄａｒｄ  ｆｏｒ  ａ  Ｈｉｇｈ  Ｐｅｒｆｏｒｍａｎｃｅ  ｓｅｒｉａｌ  Ｂｕｓ」である。以下、シリアルバス規格と称する。）が公表され、それに準拠した接続端子及びその接続端子自体を直接制御する制御部等（以下、［従来の技術］及び［発明が解決しようとする課題］の欄において、これらを単にポートと称する）を備えたディジタルビデオカメラやパーソナルコンピュータ等が製品化されつつある。
【０００３】
そして、当該シリアルバス規格においては、複数の情報処理装置間をシリアルバスとしてのケーブルにより接続し、これら各情報処理装置間で複数チャンネル分の情報の授受を時分割的に実行するように規格化されている。
【０００４】
ここで、上記シリアルバス規格においては、上記情報処理装置をいわゆるスタンバイ状態又は休止状態（以下、単に休止状態と称する）とする場合に、当該情報処理装置に備えられたポートは、当該情報処理装置に備えられた制御部からの後述するサスペンドコマンドに基づいて、いわゆるサスペンドイニシエータとなることが規格化されている。
【０００５】
このとき、当該サスペンドイニシエータ（以下、単にイニシエータと称する）とは、上記シリアルバス規格において規定されている用語であり、具体的には、ある情報処理装置を休止状態とするとき、すなわち、その情報処理装置における必要な機能発揮を停止させて他の情報処理装置との間の情報の授受を休止するとき、当該情報処理装置上のポート（以下、第１ポートと称する。）の制御部に対して当該情報処理装置全体を制御する制御部からサスペンドコマンドを出力することにより、当該第１ポートと上記シリアルバスを介して接続されている他の情報処理装置上のポート（以下、第２ポートと称する。）に対して、当該第１ポートを介した情報の授受を休止状態とするサスペンド信号（休止信号）を送信した後に、イニシエータとなった第１ポート自身がサスペンド状態になり、情報の授受を休止するよう動作するものである。
【０００６】
ここで、サスペンドコマンドとは、情報の授受を行っているいずれかのポートに対して、当該ポートが上記サスペンド信号を送信するサスペンドイニシエータとなるよう指示するものである。
【０００７】
なお、あるポートをイニシエータとするための上記サスペンドコマンドは、原則としてはそのイニシエータとされるポートが属している情報処理装置内の制御部からそのポートに対して出力されるものであるが、上記シリアルバス規格においては、当該シリアルバス規格に準拠した他の情報処理装置に属しているポートをイニシエータとするためのサスペンドコマンドを、そのポートが含まれていない情報処理装置の制御部からそのポートに対して出力することで、遠隔的に他の情報処理装置に含まれているポートをイニシエータとすることも可能とされている。
【０００８】
一方、上記シリアルバス規格により、上記イニシエータとなる第１ポートからのサスペンド信号を受信した上記第２ポートは、いわゆるサスペンドターゲットとして機能することが規格化されている。
【０００９】
このとき、当該サスペンドターゲット（以下、単にターゲットと称する）とは、上記シリアルバス規格において規定されている用語であり、具体的には、上記した第１ポートと第２ポートとの関係において、上記第１ポートがイニシエータとしてサスペンド状態に移行する場合には、これに対応して上記第２ポートはターゲットとなるのである。
【００１０】
ここで、上記シリアルバス規格においては、上述の場合に、当該ターゲットとして機能する第２ポート自身がサスペンド状態に移行して第１ポートとの間の情報の授受を休止するだけでなく、当該ターゲットとして機能する第２ポートと同一の物理層（第２ポートが含まれている当該他の情報処理装置における物理層）に属している他のポートであって情報伝送が可能となっているポート（以下、適宜アクティブポートと称する）を全て新たにイニシエータ化する機能を、当該第２ポートが備えることが規格化されている。
【００１１】
なお、上述してきた従来の技術を含む本願に関連する先行技術文献情報としては次のものがある。
【非特許文献１】
「ＩＥＥＥ  Ｓｔａｎｄａｒｄ  ｆｏｒ  ａ  ｈｉｇｈ  Ｐｅｒｆｏｒｍａｎｃｅ  Ｓｅｒｉａｌ  Ｂｕｓ  −  Ａｍｅｎｄｍｅｎｔ  １」ＩＥＥＥ  Ｓｔｄ．  １３９４ａ−２０００  （Ａｍｅｎｄｍｅｎｔ  ｔｏ  ＩＥＥＥ  Ｓｔｄ．  １３９４−１９９５）  ＩＥＥＥ  Ｃｏｍｐｕｔｅｒ  Ｓｏｃｉｅｔｙ（ｐｕｂｌｉｓｈｅｄ  ｂｙ  ｔｈｅ  ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．）
【非特許文献２】
ＩＥＥＥ電気電子学会［ｏｎｌｉｎｅ］、［平成１５年１月３０日検索］、アイ・トリプル・イー技術組織インターネット＜ｈｔｔｐ：／／ｗｗｗ．ｉｅｅｅ．ｏｒｇ／ｐｏｒｔａｌ／ｉｎｄｅｘ．ｊｓｐ＞
ここで、上述してきた一連の処理を纏めると、一の情報処理装置を休止状態とすると、当該情報処理装置に備えられた制御部からのサスペンドコマンドに基づいて、上記シリアルバスが接続されている第１ポート（アクティブポート）が先ずイニシエータとなる。
【００１２】
そして、当該イニシエータとなった第１ポートから、シリアルバスを介して接続された他の情報処理装置に備えられた対向ポート（第２ポート）に対して上記サスペンド信号が送信される。
【００１３】
次に、当該第２ポートがサスペンド信号を受信すると、この第２ポートがターゲットとなる。
【００１４】
その後、このターゲットとなった第２ポートによって、当該ターゲットとなった第２ポートを含む物理層の状態を制御する制御部が同様に制御する他の全てのアクティブポートがイニシエータとされるのである。
【００１５】
これらにより、ターゲットによってイニシエータ化されたアクティブポートから、シリアルバスを介して当該アクティブポートに接続された更に他の情報処理装置に備えられたアクティブポートに対して新たなサスペンド信号が更に送信されることとなる。
【００１６】
【発明が解決しようとする課題】
しかしながら、上述してきたターゲットによる他のアクティブポートのイニシエータ化処理が連鎖すると、結果として、休止状態とされた一の情報処理装置と他の情報処理装置の間でシリアルバスを介して行う情報の授受をサスペンド状態となったときには、当該他の情報処理装置に接続されている動作中の更に他の情報処理装置と元の他の情報処理装置との間の情報の授受までもがサスペンド状態となってしまうという問題があった。
【００１７】
このことは、一連のシリアルバスにより接続された三以上の情報処理装置があるときに、第１の情報処理装置を休止状態としたことが原因で、第１の情報処理装置と第２の情報処理装置との間の情報の授受だけでなく、第２の情報処理装置と第３の情報処理装置との間の情報の授受までもが、使用者の意図しない範囲でサスペンド状態となって停止してしまうと言う問題点に繋がるものである。
【００１８】
より具体的には、例えば放送電波を受信するチューナとＤＶＤ（Ｄｉｇｉｔａｌ  Ｖｅｒｓａｔｉｌｅ  Ｄｉｓｃ）プレーヤとレシーバ（プリアンプ）とがシリアルバスにより接続されているときに、チューナを休止状態とした場合には、ＤＶＤプレーヤとレシーバとの間の情報の授受も停止してしまい、例えばＤＶＤプレーヤとレシーバとの間で実行していたオーディオ情報の再生処理等が不用意に中断してしまうことになるのである。
【００１９】
そこで、本願は、上記の問題点に鑑みてなされたものであり、その課題の一例は、上記シリアルバス規格に準拠して接続された二つの情報処理装置間の情報の伝送が休止状態となったとしても、その影響が当該二つの情報処理装置以外の他の情報処理装置にまで及ぶことを防止することが可能な休止状態制御装置及び休止状態制御方法並びに当該休止状態制御用の休止状態制御プログラム及び当該休止状態制御プログラムが記録された情報記録媒体を提供することにある。
【００２０】
【課題を解決するための手段】
上記の課題を解決するために、請求項１に記載の発明は、ネットワークによって接続された複数の情報処理装置のいずれかにおける休止状態であって、当該いずれかの情報処理装置と他の前記情報処理装置との間における前記ネットワークを介した情報の授受を休止する休止状態を制御する休止状態制御装置において、前記休止状態を制御する対象の前記情報処理装置である制御対象情報処理装置が前記授受を行っている他の前記情報処理装置の数を判定するポート数判定部等の判定手段と、前記判定された数が一であるときのみ、前記制御対象情報処理装置における前記授受を前記休止状態とするように当該制御対象情報処理装置を制御する制御部等の制御手段と、を備える。
【００２１】
上記の課題を解決するために、請求項８に記載の発明は、ネットワークによって接続された複数の情報処理装置のいずれかにおける休止状態であって、当該いずれかの情報処理装置と他の前記情報処理装置との間における前記ネットワークを介した情報の授受を休止する休止状態を制御する休止状態制御方法であって、前記休止状態を制御する対象の前記情報処理装置である制御対象情報処理装置が前記授受を行っている他の前記情報処理装置の数を判定する判定工程と、前記判定された数が一であるときのみ、前記制御対象情報処理装置における前記授受を前記休止状態とするように当該制御対象情報処理装置を制御する制御工程と、を含むように構成される。
【００２２】
上記の課題を解決するために、請求項９に記載の発明は、ネットワークによって接続された複数の情報処理装置のいずれかにおける休止状態であって、当該いずれかの情報処理装置と他の前記情報処理装置との間における前記ネットワークを介した情報の授受を休止する休止状態を制御する休止状態制御装置に含まれるコンピュータを、前記休止状態を制御する対象の前記情報処理装置である制御対象情報処理装置が前記授受を行っている他の前記情報処理装置の数を判定する判定手段、及び、前記判定された数が一であるときのみ、前記制御対象情報処理装置における前記授受を前記休止状態とするように当該制御対象情報処理装置を制御する制御手段、として機能させる。
【００２３】
上記の課題を解決するために、請求項１０に記載の発明は、請求項９に記載の休止状態制御プログラムが前記コンピュータで読取可能に記録されている。
【００２４】
【発明の実施の形態】
次に、本願に好適な実施の形態について、図面に基づいて説明する。
【００２５】
なお、以下に説明する実施の形態は、情報処理装置としての複数のオーディオ機器が上記シリアルバス規格に準拠したシリアルバスにより接続されて構成されているオーディオシステムに対して本願を適用した場合の実施形態である。
【００２６】
（Ｉ）オーディオシステムの構成及び機能の実施形態
始めに、本実施形態にかかるオーディオシステムの構成及び機能を、図１を用いて説明する。なお、図１は、本願におけるオーディオシステムの概要構成を示すブロック図である。
【００２７】
図１に示すように、このオーディオシステムＴは、本願における制御対象情報送受信装置の一例としてのチューナ１と、本願における他の情報送受信装置の一例としてのプレーヤ２及びレシーバ３と、により構成されている。このとき、プレーヤ２とチューナ１とは、上記シリアルバス規格に準拠したシリアルバスＣｘを介して接続されており、更に、プレーヤ２とレシーバ３とは、上記シリアルバス規格に準拠したシリアルバスＣｙを介して接続されている。そして、チューナ１及びプレーヤ２並びにレシーバ３は、夫々に接続されたシリアルバスＣｘ及びＣｙを介して互いに情報の授受が可能な状態になっている。
【００２８】
（Ａ）チューナの実施形態
始めに、チューナ１の構成及び機能について説明する。
【００２９】
チューナ１は、より具体的には、いわゆるテレビジョンチューナやラジオチューナ等であり、放送電波を受信して生成された電気信号のうち、出力することが所望されている電気信号を選択して出力する。
【００３０】
ここで、チューナ１についてより具体的には、当該チューナ１は、図１に示すように、電源部１０と、アンテナ部１１と、通信部１２と、各構成部材を制御する制御部１３と、により構成されており、当該各構成部材はバス１４を介して相互に情報の授受が可能に接続されている。
【００３１】
このとき、電源部１０は、チューナ１を動作させるための電源電力を発生・供給する電源である。そして、電源部１０がオン状態の場合にチューナ１は動作状態になり、電源部１０がオフ状態の場合（すなわち、電源電圧のチューナ１０への供給が断たれている場合）には、当該チューナ１は動作を停止する。
【００３２】
次に、アンテナ部１１は、放送電波を受信し、それを受信信号に変換して制御部１３又は通信部１２に出力する。
【００３３】
更に、通信部１２は、後に詳述するポートを備え、当該ポートに接続されたシリアルバスＣｘを介してプレーヤ２と（又は当該プレーヤ２を介してレシーバ３と）情報の授受を行う。
【００３４】
より具体的には、通信部１２は、制御部１３の制御の下、送信すべき情報がバス１４を介してアンテナ部１１等から入力されてくると、当該情報に対して予め設定されている送信用処理を実行し、当該送信用処理後の情報を、シリアルバスＣｘを介してプレーヤ２等に出力する。
【００３５】
これに加えて、通信部１２は、制御部１３の制御の下、プレーヤ２から（又はプレーヤ２を介してレシーバ３から）シリアルバスＣｘを介して送信された情報に対して予め設定されている受信用処理を実行し、制御部１３等に出力する。
【００３６】
これらに対して、制御部１３は、演算機能を有するコンピュータとしてのＣＰＵ、作業用ＲＡＭ（Ｒａｎｄｏｍ  Ａｃｃｅｓｓ  Ｍｅｍｏｒｙ）、通信処理プログラム等を含む各種制御プログラムやデータ等を記憶するＲＯＭ（Ｒｅａｄ  Ｏｎｌｙ  Ｍｅｍｏｒｙ）及び発振回路等を備えており、図示しない操作部からの操作信号を受けると、当該操作信号に含まれている操作情報に基づいて上記各構成部材を制御するための制御情報を生成し、これを、バス１４を介して該当する構成部材に出力する。これらにより、制御部１３は、チューナ１を構成する各構成部材の動作を統轄制御する。
【００３７】
また、制御部１３は、通信部１２が有するポートと共に、本願の制御対象情報処理装置送受信手段の一例として機能する。なお、以下の実施の形態において、「ポート」とは、上述した［従来の技術］の欄等の場合と異なり、他の情報処理装置と上記シリアルバス規格に則ったシリアルバスを介して物理的に接続される接続端子そのものをいうものとする。
【００３８】
すなわち、制御部１３は、チューナ１の電源がオフ状態とされた場合に、通信部１２のポートから、当該ポートに接続されたシリアルバスＣｘを介して接続されたプレーヤ２の後述する通信部２２に属するポート（以下、適宜対向ポートと称する）に対して、上述したサスペンドコマンドを送信する。更に、当該通信部２２の対向ポートからサスペンドコマンドに対応するサスペンド信号を受信すると、後述する物理層制御部１２ｂが、通信部１２の当該ポートをサスペンド状態し、シリアルバスＣｘを介して行う情報の授受を休止させる。これらの休止機能については後に図を用いて詳説する。
【００３９】
このとき、本実施形態においては、プレーヤ２の通信部２２が有する対向ポートが上述したイニシエータとなり、チューナ１の通信部１２が有する一のポートが上述したターゲットとなる。そしてこの場合、イニシエータとなった対向ポートは、その対向ポートが属するプレーヤ２以外のチューナ１内の制御部１３によりイニシエータ化されたこととなる。更に、ターゲットとなった通信部１２内のポートは、それ自体が属するチューナ１内の制御部１３からのサスペンドコマンドによってイニシエータ化された対向ポートからのサスペンド信号によりターゲット化されたこととなる。
【００４０】
次に、制御部１３の細部構成及び細部動作について、図２を用いて説明する。なお、図２は、上述してきた休止機能を制御する制御部１３の構成を示すブロック図である。
【００４１】
図２に示すように、実施形態の制御部１３は、コントローラ５０と、本願の制御手段の一例としての休止機能部５１と、により構成され、更に当該休止機能部５１は、本願の判定手段の一例としてのポート数判定部５２と、トポロジ検出部５３と、サスペンドコマンド送信部５４と、休止制御部５６と、により構成されている。
【００４２】
次に、動作を説明する。
【００４３】
先ず、コントローラ５０は、チューナ１の電源がオフ状態になると、休止機能部５１を制御して上述した休止機能を実行させる。このとき、当該休止機能部５１は、コントローラ５０の制御の下、当該休止機能を発揮する。
【００４４】
次に、ポート数判定部５２は、休止制御部５６と共に検出手段として機能することにより、通信部１２に属する後述の物理層制御部１２ｂが制御する複数のポートのうち実際に動作状態にあるアクティブポートの数を判定する。ここで、アクティブポートとは、具体的には、そのポートにシリアルバスが接続されている状態であって、他のプレーヤ２等からの信号を当該接続されたシリアルバスを介して授受可能な状態にあるポートをいう。
【００４５】
一方、トポロジ検出部５３は、通信部１２のポートが接続されているシリアルバスにより形成されている系内から、当該ポートに接続されたシリアルバスＣｘを介して接続されているプレーヤ２の通信部２２に属する対向ポートに対応するノード番号とポート番号を解析して検出する。ここで、当該ノード番号及びポート番号としてより具体的には、例えば図１に示す一例においては、ノード番号とはプレーヤ２を示す番号であり、ポート番号とはシリアルバスＣｘを介して接続されたプレーヤ２の通信部２２に属する対向ポートの番号を言う。
【００４６】
次に、サスペンドコマンド送信部５４は、通信部１２のポートから、当該ポートに接続されたシリアルバスＣｘを介して接続されたプレーヤ２の通信部２２に属する対向ポートに対してサスペンドコマンドを送信する。
【００４７】
ここで、上記サスペンドコマンドが送信されると、当該通信部２２の対向ポートより、上記サスペンドコマンドに対応したサスペンド信号が通信部１２のポートに対して送信されることで、当該通信部２２に属する対向ポートが上記イニシエータとして機能し、これに対して、当該サスペンド信号を受信する通信部１２の当該ポートが上記ターゲットとして機能することになる。
【００４８】
次に、休止制御部５６は、休止機能部５１の各構成部材の動作を統轄制御するためのものであり、先ず上記ポート数判定部５２と共に判定手段として機能することにより、通信部１２に属する後述する物理層制御部１２ｂに属する複数のポートにおけるアクティブポートの数を判定する。より具体的には、シリアルバスＣｘが接続されたアクティブポート以外の送受信手段としての他のポートが動作状態（アクティブ状態）であるか否かを判定する。
【００４９】
更に休止制御部５６は、通信部１２に属するアクティブポートと共に制御対象情報処理装置送受信手段として機能することにより上記プレーヤ２にサスペンドコマンドを送信するようにサスペンドコマンド送信部５４を制御し、これにより当該サスペンドコマンド送信部５４がサスペンドコマンドを送信する。
【００５０】
そして、プレーヤ２から上記サスペンド信号を受信した際には、通信部１２内の後述する物理層制御部１２ｂの機能により当該物理層制御部１２ｂに接続されているアクティブポートをサスペンド状態にすると共に、チューナ１とプレーヤ２とを繋ぐシリアルバスＣｘを介して行う情報の授受を休止状態とする。
【００５１】
（Ｂ）プレーヤの実施形態
次に、プレーヤ２の構成及び機能について図１及び図２を用いて説明する。
【００５２】
図１に示すように、プレーヤ２は、電源部２０と、情報再生部２１と、通信部２２と、上記各構成部材を制御する制御部２３と、により構成されており、各構成部材はバス２４を介して相互に情報の授受が可能に接続されている。
【００５３】
このとき、電源部２０は、プレーヤ２を動作させるための電源電力を発生・供給する電源である。そして、電源部２０がオン状態の場合にプレーヤ２は動作状態になり、電源部２０がオフ状態の場合には、当該プレーヤ２は動作を停止する。
【００５４】
一方、情報再生部２１は、再生すべき情報が記録されているＤＶＤ等を装填する装填機構、当該ＤＶＤに記録された情報等を光学的に読み取るピックアップ、当該ＤＶＤを回転駆動するスピンドルモータ、当該スピンドルモータとピックアップとをサーボ制御するサーボ回路並びに読み取られた情報等に対して所定の復調処理等を施す信号処理部などを備えており、制御部２３の制御の下、上記情報としての映像データ又は音声データ等を再生し、バス２４を介して通信部２２へ送信し、更にシリアルバスＣｙを介してレシーバ３へ送信する。
【００５５】
このとき、通信部２２は、複数のポートを備えており、シリアルバスＣｘを介してチューナ１と情報の授受を行うものであり、制御部２３の制御の下、送信すべき情報が入力されると、当該情報に対して予め設定されている送信用処理を実行し、当該信号をシリアルバスＣｘを介してチューナ１に出力する。
【００５６】
これと並行して通信部２２は、制御部２３の制御の下、チューナ１からシリアルバスＣｘを介して送信された情報に対して予め設定されている受信用処理を実行し、制御部２３等に出力する。
【００５７】
更にまた、通信部２２は、上述したチューナ１との場合と同様にして、シリアルバスＣｙを介してレシーバ３と情報の授受を行う。
【００５８】
次に、制御部２３は、演算機能を有するコンピュータとしてのＣＰＵ、作業用ＲＡＭ、通信処理プログラム等を含む各種制御プログラムやデータを記憶するＲＯＭ及び発振回路等を備えており、図示しない操作部からの操作信号を受けると、当該操作信号に含まれている操作情報に基づいて上記各構成部材を制御するための制御情報を生成し、これを、バス１４を介して該当する構成部材に出力する。これらにより、制御部２３はプレーヤ２を構成する各構成部材の動作を統轄制御する。
【００５９】
（Ｃ）レシーバの実施形態
次に、レシーバ３の構成及び機能について図１を用いて説明する。
【００６０】
図１に示すように、レシーバ３は、電源部３０と、信号処理部３１と、通信部３２と、上記各構成部材を制御する制御部３３と、を含んで構成されており、各構成部材は、バス３４を介して相互に接続されている。
【００６１】
このとき、電源部３０は、レシーバ３を動作させるための電源電力を発生・供給する電源である。そして、電源部３０がオン状態の場合にレシーバ３は動作状態になり、電源部３０がオフ状態の場合には、当該レシーバ３は動作を停止する。
【００６２】
一方、信号処理部３１は、通信部３２よりシリアルバスＣｙを介してプレーヤ２から（又はプレーヤ２を介してチューナ１から）送信された映像データや音声データ等の信号に対して所定の増幅処理等を施すと共に、制御部３３の制御の下、映像データ等を再生し、バス３４を介して図示しないモニターやスピーカ等へ送信する。
【００６３】
これと並行して通信部３２は、シリアルバスＣｙを介してプレーヤ２と（又はプレーヤ２を介してチューナ１と）情報の授受を行うものであり、制御部３３の制御の下、送信すべき情報が入力されると、当該情報に対して予め設定されている送信用を実行し、当該情報をシリアルバスＣｙを介してプレーヤ２（又はプレーヤ２を介してチューナ１）に出力するようになっている。
【００６４】
これと並行して通信部３２は、制御部３３の制御の下、プレーヤ２から（又はプレーヤ２を介してチューナ１から）シリアルバスＣｙを介して送信された情報に対して予め設定されている受信用処理を実行し、制御部３３等に出力するようになっている。
【００６５】
次に、制御部３３は、演算機能を有するコンピュータとしてのＣＰＵ、作業用ＲＡＭ、通信処理プログラム等を含む各種制御プログラムやデータを記憶するＲＯＭ及び発振回路等を備えており、図示しない操作部からの操作信号を受けると、当該操作信号に含まれている操作情報に基づいて上記各構成部材を制御するための制御情報を生成し、これを、バス３４を介して該当する構成部材に出力する。これらにより、制御部３３は、レシーバ３を構成する各構成部材の動作を統轄制御する。
【００６６】
（Ｄ）休止動作の実施形態
次に、図１乃至図６を参照して、本願に係る休止状態制御処理について説明する。
【００６７】
なお、図３乃至図６は、図１に示すオーディオシステムＴにおける休止状態制御処理を示すものであり、具体的には、図３及び図４はオーディオシステムＴにおける休止処理前の状態における通信部１２等の物理的構成を示すブロック図であり、図５はオーディオシステムＴにおける休止処理後の状態を説明する図であり、図６は、チューナ１の制御部１３及びプレーヤ２の制御部２３における本願の休止動作制御処理を示すフローチャートである。
【００６８】
そして、以下の実施形態では、チューナ１とプレーヤ２との間の情報の授受を休止状態に移行させる際の実施形態について説明する。
【００６９】
先ず当該実施形態に関連するオーディオシステムＴの物理的構成について、具体的に図３及び図４を用いて説明する。
【００７０】
始めに、図３に示すように、チューナ１内の通信部１２は、データリンク制御部１２ａと、上記物理層制御部１２ｂと、により構成されている。
【００７１】
このとき、データリンク制御部１２ａは、上記シリアルバス規格におけるリンク層（いわゆるＯＳＩ（Ｏｐｅｎ  Ｓｙｓｔｅｍｓ  Ｉｎｔｅｒｃｏｎｎｅｃｔｉｏｎ）参照モデルにおける第二層であるリンク層）に相当するもので、シリアルバスにより接続されているネットワーク上で直結されているコンピュータ等の送受信装置間（本実施形態においては、例えばチューナ１とプレーヤ２との間）で通信を行うときの規約を規定し、データの送信先となるノードやポート等を特定するものである。
【００７２】
一方、物理層制御部１２ｂは、上記シリアルバス規格における物理層（上記ＯＳＩ参照モデルにおける第一層である物理層）に相当するもので、上記ネットワーク上を送受信されるデータの内容には関係なく、当該ネットワークの物理的な接続や伝送方式を規定すると共に、上記送受信装置間（本実施形態においては、チューナ１とプレーヤ２）で情報を授受する際に当該情報を変換するときの方式等を規定するものであり、ポート１２ｘ、ポート１２ｙ及びポート１２ｚが接続されている。
【００７３】
これらと同様に、プレーヤ２の通信部２２は、データリンク制御部２２ａと、物理層制御部２２ｂと、により構成されている。
【００７４】
また、当該物理層制御部２２ｂはポート２２ｘ、ポート２２ｙ及びポート２２ｚが接続されており、より詳細には、図４に示すように、夫々にポート２２ｘ、２２ｙ及び２２ｚに接続されているサスペンドコマンド受信部６２と、サスペンド信号送信部６３と、当該サスペンドコマンド受信部６２及びサスペンド信号送信部６３を制御する休止制御部６４と、により構成されている。
【００７５】
更に、図３に戻って、レシーバ３の通信部３２は、データリンク制御部３２ａと、物理層制御部３２ｂと、により構成され、当該物理層制御部３２ｂはポート３２ｘ、ポート３２ｙ及びポート３２ｚに接続されている。
【００７６】
ここで、チューナ１とプレーヤ２との間の情報の授受が休止状態に移行する前の状態を示している図３においては、チューナ１のポート１２ｘ及び１２ｙは、共に実際には情報の授受を行っていないポート（図３において符号「Ｄ」で示す）である。なおこのとき、実際に情報の授受を行っていないポートとは、シリアルバスが接続されていない場合など、他の情報処理装置との間で情報の送受信が不可能な状態にあるポートをいう。
【００７７】
これに対して、制御対象情報処理装置送受信手段の一例としてのポート１２ｚは、接続されたシリアルバスＣｘを介してプレーヤ２との間の情報の送受信が可能なアクティブポート（図３において符号「Ａ」で示す）である。
【００７８】
一方、送受信手段の一例としてのプレーヤ２内のポート２２ｘは、接続されたシリアルバスＣｘを介してチューナ１と情報の送受信が可能なアクティブポートであり、更にポート２２ｚも、同様に接続されたシリアルバスＣｙを介してレシーバ３と情報の送受信が可能なアクティブポートである。他方、ポート２２ｙは、他の情報処理装置と情報の送受信不可能な状態にあるポートである。
【００７９】
更に、レシーバ３のポート３２ｘは、接続されたシリアルバスＣｙを介してプレーヤ２との間で情報の送受信が可能なアクティブポートであって、ポート３２ｙ及び３３ｚは、他の装置と情報の送受信不可能な状態にあるポートである。
【００８０】
次に、実施形態に係るプレーヤ２における物理層制御部２２ｂの動作について、特に詳細に説明する。
【００８１】
実施形態に係る休止動作においては、その当初、当該チューナ１を休止状態とする旨の操作が当該チューナ１において実行されると、チューナ１内の制御部１３は、上述したように当該操作に対応するサスペンドコマンドを生成し、シリアルバスＣｘを介してプレーヤ２に出力する。
【００８２】
次に、上記理層制御部２２ｂは、シリアルバスＣｘを介して当該サスペンドコマンを受信すると、自動的に上記休止機能を実行する。
【００８３】
より具体的には、当該物理層制御部２２ｂ内のサスペンドコマンド受信部６２は、チューナ１の通信部１２のポート１２ｚからシリアルバスＣｘ及びポート２２ｘを介してサスペンドコマンドを受信すると、その旨を休止制御部６４へ出力する。
【００８４】
そして、休止制御部６４は、当該サスペンドコマンド受信部６２からの通知により当該サスペンドコマンドに対応してポート２２ｘからサスペンド信号を送信するようにサスペンド信号送信部６３を制御する。これにより、サスペンド信号送信部６３は当該休止制御部６４からの制御に基づいてサスペンド信号をチューナ１のポート１２ｚに出力する。
【００８５】
その後、休止制御部６４は、サスペンド信号の送信後、ポート２２ｘをサスペンド状態とし、チューナ１とプレーヤ２とを繋ぐシリアルバスＣｘを介して行う情報の授受を休止状態とする。
【００８６】
次に、実施形態における休止動作の前提としての各概念等につき、説明する。
【００８７】
先ず、上記シリアルバス規格においては、そのシリアルバスに接続されている一の情報処理装置との間でのみ情報の送受信可能な状態にある他の情報処理装置を一般にリーフノードと言い、二以上の他の情報処理装置との間で情報の送受信可能な状態にある情報処理装置を一般にブランチノードと言う。
【００８８】
従って、これを図３に示す場合に適用すると、チューナ１は、その通信部１２の物理層制御部１２ｂにアクティブポートを只一つ備える（ポート１２ｚ）ことから、当該チューナ１はシリアルバス規格により規定されたいわゆるトポロジにおける上記リーフノードとなる。また、レシーバ３も、その通信部３２の物理層制御部３２ｂにアクティブポートを只一つ有する（ポート３２ｘ）ことから、当該レシーバ３も同様にして当該トポロジにおけるリーフノードとなる。
【００８９】
これらに対して、プレーヤ２は、その通信部２２の物理層制御部２２ｂにアクティブポートを二つ備える（ポート２２ｘ及び２２ｚ）ことから、当該プレーヤ２は、上記トポロジにおけるブランチノードとなる。
【００９０】
次に、図３及び図４に示す状態を前提として、チューナ１とプレーヤ２との間の情報の授受が休止状態に移行するときの状態を、図５を用いて説明する。
【００９１】
先ず、チューナ１において当該チューナ１を休止状態とする旨の操作が当該チューナ１において実行されると、チューナ１の制御部１３は、チューナ１とプレーヤ２との間の情報の授受をサスペンド状態とすべく、最初に、当該チューナ１がリーフノードであるか否かを確認し（当該確認処理については後ほど詳述する）、チューナ１がリーフノードである場合にのみ、当該チューナ１における唯一のアクティブポートであるポート１２ｚが接続されているプレーヤ２内のポート２２ｘをイニシエータ化する。
【００９２】
このため、チューナ１の制御部１３は、当該ポート２２ｘに対して上記サスペンドコマンドを出力する。
【００９３】
そして、当該サスペンドコマンドを受信したポート２２ｘは、それが統制される制御部２３の制御に基づいてイニシエータＳｉとして機能する（図５符号「Ｓｉ」参照）。そして、通信部２２内の物理層制御部２２ｂは、イニシエータＳｉとなったポート２２ｘを介してチューナ１内のポート１２ｚに対してサスペンド信号を送信した後に、当該ポート２２ｘをサスペンド状態に移行させる。
【００９４】
次に、当該サスペンド信号を受信したポート１２ｚは、それが統制される物理層制御部１２ｂの制御に基づいてターゲットＳｔとして機能する（図５符号「Ｓｔ」参照）。
【００９５】
ここで、上述したように、本願に係るシリアルバス規格の下では、ターゲットＳｔとなったポート１２ｚは、当該ターゲットＳｔとして機能するポート１２ｚのみがサスペンド状態に移行するだけでなく、当該ターゲットＳｔとして機能するポート１２ｚと同一の物理層制御部１２ｂに属するアクティブポートが全てイニシエータＳｉとして機能することとなる。
【００９６】
従って、ターゲットＳｔとして機能するポートがブランチノードに属するものである場合には、そのノードに属する全てのアクティブポートがイニシエータＳｉとなってサスペンド信号を夫々の対向ポートに送信して、自身がサスペンド状態となるという休止状態が連鎖してしまうため、本願では、ターゲットＳｔとして機能するポートが属する情報処理装置をリーフノードとしての情報処理装置に限るのである。
【００９７】
次に、図６のフローチャートを用いて、チューナ１の電源をオフ状態にした場合の休止状態の制御処理について説明する。
【００９８】
なお、図６（Ａ）のフローチャートにより示される処理は、制御部１３内の図示しないＲＯＭに予め記憶されている休止状態制御プログラムに基づいて当該制御部１３により実行される。一方、図６（Ｂ）のフローチャートにより示される処理は、制御部２３内の図示しないＲＯＭに予め記憶されている休止状態制御プログラムに基づいて当該制御部２３により実行される。
【００９９】
図６に示すように、実施形態の休止状態の制御処理においては、先ず、チューナ１の電源部１０がオフ状態になると、制御部１３はこれを認識し（ステップＳ１）、これに対応したコントローラ５０の制御により、休止機能部５１のポート数判定部５２が、ポート１２ｘ、ポート１２ｙ及びポート１２ｚのうち、アクティブポートが２つ未満であるか否かを判定する（ステップＳ２）。
【０１００】
そして、チューナ１のアクティブポートが２つ未満である場合には（ステップＳ２；ＹＥＳ）後述のステップＳ３に移行し、一方、アクティブポートが２つ以上である場合には（ステップＳ３；ＮＯ）、ステップＳ２の処理を繰り返しつつ待機する。
【０１０１】
次に、ステップＳ３の処理において、チューナ１におけるアクティブポートの数が「０」か否かを検出し、「０」である場合には（ステップＳ３；ＹＥＳ）、チューナ１が現在他の情報処理装置と何ら情報の授受を行っていないこととなるため実施形態の休止制御処理を終了する。一方、チューナ１におけるアクティブポートが「０」でない場合（ステップＳ３；ＮＯ）、すなわち、チューナ１にアクティブポートが一つのみある場合には（ステップＳ３：Ｎｏ。図５に示す場合はポート１２ｚ）、休止機能部５１内のトポロジ検出部５３は、当該ポート１２ｚに対してシリアルバスＣｘを介して接続されているプレーヤ２の対向ポートであるポート２２ｘのノード番号及びポート番号を解析して検出する（ステップＳ４）。図４及び図５に示す一例においては、ノード番号はプレーヤ２を示す番号であり、ポート番号はアクティブポートである上記ポート２２ｘを示す番号となる。
【０１０２】
対向ポートのノード番号及びポート番号が特定されると、次に、サスペンドコマンド送信部５４より、検出した対向ポートであるポート２２ｘに対してシリアルバスＣｘを介してサスペンドコマンドを送信する（ステップＳ５）。
【０１０３】
そして、当該サスペンドコマンドが送信されると、次に、ポート２２ｘを含むプレーヤ２では、図６（Ｂ）に示す処理において、当該プレーヤ２の通信部２２内の物理層制御部２２ｂは、チューナ１のアクティブポート１２ｚよりシリアルバスＣｘを介して、対向ポート２２ｘからのサスペンドコマンドを受信する（ステップＳ６）。
【０１０４】
これにより、物理層制御部２２ｂは、当該ポート２２ｘをイニシエータＳｉとして機能させ、シリアルバスＣｘを介してチューナ１のポート１２ｚに対してサスペンド信号を送信し（ステップＳ７）、その後、ポート２２ｘをサスペンド状態とする（ステップＳ８）。
【０１０５】
次に、図６（Ａ）の処理に戻り、チューナ１の通信部１２内の物理層制御部１２ｂは、シリアルバスＣｘを介してポート２２ｘ（イニシイータＳｉ）から上記サスペンド信号を受信すると（ステップＳ９）、当該ポート１２ｚをターゲットＳｔとして機能させると共にポート１２ｚをサスペンド状態とする（ステップＳ１０）。
【０１０６】
以上の動作により、チューナ１とプレーヤ２との間の情報の授受が休止状態に移行するのであるが、このとき、上述した如く、ターゲットＳｔとなったポート１２ｚが属する物理層制御部１２ｂ下には他のアクティブポートがないため、チューナ１とプレーヤ２との間で確立された休止状態が他の情報処理装置に連鎖することはない。
【０１０７】
以上説明したように、実施形態のオーディオシステムＴにおける休止状態の制御処理によれば、上述したステップＳ７に記載の如く、ポート２２ｘがサスペンド信号を送信するイニシエータＳｉとして機能し、ステップＳ９に記載の如く、ポート１２ｚはサスペンド信号を受信するターゲットＳｔとして機能する。これにより、プレーヤ２は、ポート２２ｘがイニシエータＳｉとして機能することで、プーヤ２がブランチノードの場合であっても、すなわち、同一の物理層制御部２２ｂに他のアクティブポートを有する場合であっても、当該他のアクティブポートへの影響なく情報の授受を休止すべきポート２２ｘのみのサスペンド状態化が実行可能になる。
【０１０８】
更に、結果として、複数の情報処理装置がシリアルバスを介して互いに接続されている場合に、個々の情報処理装置自身が自己の電源管理をすることも可能になる。
【０１０９】
なお、上記実施形態においては、チューナ１のポート１２ｚをターゲットＳｔとして機能させ、プレーヤ２のポート２２ｘをイニシエータＳｉとして機能させたが、これに限定されるものでなく、シリアルバスを介して相互に接続される２つのアクティブポートのうち、リーフノードであるノードに属しているアクティブノードをターゲットＳｔとするように休止状態を制御すれば、本願が予定する上記効果を奏することができる。
【０１１０】
より具体的には、例えば、レシーバ３における制御部３３により上述した如く休止状態を制御することにより、ポート３２ｘから、当該ポート３２ｘにシリアルバスＣｙを介して接続されるプレーヤ２のポート２２ｚにサスペンドコマンドを送信し、このポート３２ｘをターゲットＳｔとして機能させると共にポート２２ｚをイニシエータＳｉとして機能させてもよい。この場合には、ポート３２ｘが含まれる物理層制御部３２ｂには他のアクティブポートが存在しないので、サスペンド化を所望するポート３２ｘ及びポート２２ｚのみをサスペンド状態として情報の授受を休止する休止状態とすることができる。
【０１１１】
以上説明したように、実施形態のオーディオシステムＴにおける休止状態の制御処理によれば、休止状態を制御されるチューナ１が情報の授受を行っている他の情報処理装置の数を判定し、その数が一であるときのみ、チューナ１における情報の授受を休止状態とするように当該チューナ１を制御するので、チューナ１における情報の授受が休止状態となったことが他の情報処理装置にまで連鎖することがなく、当該他の情報処理装置が実行している情報の授受を中断させることがない。
【０１１２】
また、チューナ１が情報の授受を行っている他の情報処理装置の数が一であるときのみ、サスペンドコマンドを他の情報処理装置に対して送信するようにチューナ１を制御するので、休止状態が他の情報処理装置等に連鎖することを有効に防止することができる。
【０１１３】
更にまた、チューナ１を休止状態とする場合、又は、チューナ１自体の機能を休止状態にする場合、のいずれかの場合においても、チューナ１が情報の授受を行っている他の情報処理装置の数が一であるときのみ、チューナ１における情報の授受を休止状態とするように当該チューナ１が制御されるので、それらの場合の何れにおいても他の情報処理装置が実行している情報の授受を中断させることがない。
【０１１４】
また、チューナ１を休止状態とする場合、又は、チューナ１自体の機能を休止状態にする場合、のいずれかの場合であっても、チューナ１が情報の授受を行っている他の情報処理装置の数が二以上であるときは、チューナ１における情報の授受を休止状態とすることが禁止されるので、それらの場合の何れにおいてもチューナ１に対して二以上の情報処理装置が接続されている場合には、その接続されている情報処理装置において実行されている情報の授受を中断させることがない。
【０１１５】
なお、上述した実施形態においては、チューナ１を休止状態とする場合の実施形態について説明したが、当該実施形態の処理により当該チューナ１を休止状態とした場合には、次に、それまで上記ブランチノードであったプレーヤ２が今度は上記リーフノードとなる。従って、当該リーフノードとなったプレーヤ２を休止状態とする操作が当該プレーヤ２において実行された場合には、当該プレーヤ２とレシーバ３との間で上述した実施形態の休止動作が実行されることになる。
【０１１６】
このように、実施形態の休止動作の制御によれば、多数のノードが接続されているネットワークにおいても、各ノードが休止状態に移行するときのネットワーク内の管理を集中的に行う必要がなく、分散的にこれを実行することができる。
【０１１７】
また、上述してきた実施形態においては、ネットワークの一例として、シリアルバスを介して各ノードが接続されているものに本願を適用した場合について説明したが、これ以外に、例えばパラレルバスや無線通信により各ノードが接続されているネットワークに対して本願を適用することも可能である。
【０１１８】
更にまた、上述した実施形態において、図６に示すフローチャートに対応するプログラムをフレキシブルディスクに記録しておき、又は、インターネットト等のネットワークを介して取得して記録しておき、これらをマイクロコンピュータ等の汎用のコンピュータで読み出して実行することにより、当該コンピュータを実施形態に係る制御部１３、２３又は３３として機能させることも可能である。
【図面の簡単な説明】
【図１】オーディオシステムＴの概要構成を示すブロック図である。
【図２】休止機能部全体の構成を示すブロック図である。
【図３】オーディオシステムＴにおける休止処理前の状態説明図である。
【図４】オーディオシステムＴにおける休止処理前の状態説明図である。
【図５】オーディオシステムＴにおける休止処理後の状態説明図である。
【図６】実施形態の休止状態制御処理を示すフローチャートであり、（Ａ）はチューナ１の制御部１３における処理を示すフローチャートであり、（Ｂ）プレーヤ２の制御部２３の処理を示すフローチャートである。
【符号の説明】
１…チューナ
２…プレーヤ
３…レシーバ
１０…電源部
１１…アンテナ部
１２…通信部
１２ａ、３２ａ…データリンク制御部
１２ｂ、３２ｂ…物理層制御部
１２ｘ、１２ｙ、１２ｚ、２２ｘ、２２ｙ、２２ｚ、３２ｘ、３２ｙ、３２ｚ…ポート
１３、２３、３３…制御部
１４、２４、３４…バス
２０、３０…電源部
２１…情報再生部
２２、３２…通信部
２２ａ…データリンク制御部
２２ｂ…物理層制御部
３１…信号処理部
５０、６０…コントローラ
５１、６１…休止機能部
５２…ポート数判定部
５３…トポロジ検出部
５４、６２、６３…サスペンドコマンド送信部
５５…サスペンド信号受信部
５６、６４…休止制御部
Ｔ…オーディオシステム
Ｃｘ，Ｃｙ…シリアルバス
Ｓｉ…イニシエータ
Ｓｔ…ターゲット
【図１】
2004350048.tif 000003
【図２】
2004350048.tif 000004
【図３】
2004350048.tif 000005
【図４】
2004350048.tif 000006
【図５】
2004350048.tif 000007
【図６】
2004350048.tif 000008